(57)【要約】      （修正有）【課題】簡単で、どこでも手軽に結露防止を行うことのできるガス圧力調整器の結露防止カバーを提供する。【解決手段】圧力調整器１の周りを通気性の低いシートの袋体２のカバーでで空間を設けて囲繞し、袋体の開口部をファスナー３で閉じることにより圧力調整器に袋体を取付けると共に、袋体と圧力調整器の間に空間を設けて圧力調整器１が外気と接触しないようにして、調整器のダイヤフラムの作動中に温度差の大きい外気を直接吸い込まないようにすることによりガス圧力調整器の結露を防止できる。【選択図】図１
0003144857.tif 000002
【実用新案登録請求の範囲】
【請求項１】
ガス圧力調整器本体の周りを通気性の低いシートで空間を設けて囲繞することを特徴とするガス圧力調整器の結露防止カバー。
【請求項２】
通気性の低いシートを用いて形成した袋体に、圧力調整器のダイヤフラム調整部を潜らせる開口部と複数対のファスナーを設け、調整器の底面部を包んで前記ファスナーにて圧力調整器本体の周りを空間を設けて囲繞することを特徴とするガス圧力調整器の結露防止カバー。
【請求項３】
通気性の低いシートは断熱性材料であることを特徴とする請求項１又は２記載のガス圧力調整器の結露防止カバー。
【請求項４】
通気性の低いシートは、合成樹脂製のシートであることを特徴とする請求項１又は２記載のガス圧力調整器の結露防止カバー。
【請求項５】
通気性の低い２枚のシートの縁を全周に亘って互いに接着した袋体の一方側のシートに、圧力調整器のダイヤフラム調整部を潜らせる開口部を設け、その開口部に複数対のファスナーを設けたことを特徴とする請求項１、２、３又は４記載のガス圧力調整器の結露防止カバー。
【請求項６】
ファスナーはタッチクローズ式ファスナーであることを特徴とする請求項２、３、４、５、又は６記載のガス圧力調整器の結露防止カバー。
【考案の詳細な説明】
【技術分野】
【０００１】  この考案は、高圧液化ガスのバルク供給設備用圧力調整器の結露防止に関する。
【背景技術】
【０００２】  一般に液化石油ガス（ＬＰＧガス）のような高圧液化ガスのバルク供給設備においては、一次側の高圧ガス容器から取り出すガスを２次側（低圧側）に取り出す際に所望のガス圧になるように調整するため、圧力調整器が接続されている。
この圧力調整器は圧力調整器の使用中に、例えば１次の高圧側圧力が広範囲に変化した場合でも、２次側のガス圧力の変動を少なくするため圧力調整器（減圧弁）を２段に連結した圧力調整器が使用されている。【０００３】  図６は、周知の２段減圧式の圧力調整器で、１次側の高圧ガスは第１段減圧調整器（Ａ）によって中間的な圧力に減圧され、第２段減圧調整器（Ｂ）により更に減圧されて所望のガス圧に調整されるようになっている。図７は、ガス圧力圧調整器Ｇの説明用断面図である。１ｎは受圧板を設けたダイヤフラムで、ダイヤフラム１ｎの受圧板に連動する揺動レバー２ｎにより左右に摺動する弁棒３ｎの先端にある弁ゴム４ｎによって弁座５ｎを開閉し、上流側（ａ）から流入するガスの圧力を減圧調整し、下流側（ｂ）へのガス供給圧力を所望の圧力に調整するようになっている。【０００４】  ところで、ＬＰガスのような液化ガスは、長時間使用すると液化されたガスが液体から気体に相変化するため温度が低下する。特にバルク供給設備においてはそのようなガスの温度低下に伴って圧力調整器の温度も低下し、雰囲気の状態によっては調整器Ｇの表面に結露を生ずる場合がある。また、この結露は調整器の表面のみならず、調整器の作動によるダイヤフラム受圧板の上下動で外気が調整器Ｇの内部に吸入され調整器の内部でも結露が発生する。この結露水が蒸発せずに蓄積されて行くと結露水の影響により調整器の機能が損なわれる。また、冬期に蓄積された結露水が凍結すると完全に調整器が機能しなくなる。この現象は、特に前述した２段減圧式の圧力調整器で発生しやすい。【０００５】  以上述べたような結露の防止対策として、例えば文献１に見られるように高温ガスを流通させて圧力調整器のダイヤフラムを保温するようにしたものがある。
しかしながら、ガスボンベなどの移動式ガス容器からガスの供給を受けるような場合には、個々の圧力調整器に高温ガス供給装置を取付けることは、不可能である。
【特許文献１】  特開平１０−１１１５３号公報
【考案の開示】
【考案が解決しようとする課題】
【０００６】  この考案は、前述した背景に鑑みて、簡単で、どこでも手軽に結露防止対策を行うことのできるガス圧力調整器の結露防止対策手段の提供を目的とするものである。
【課題を解決するための手段】
【０００７】  この考案の請求項１記載の考案は、前記目的を達成するために圧力調整器の周りを通気性の低いシートの袋体で空間を設けて囲繞し、袋体の開口部をファスナーで閉じることにより圧力調整器に袋体を取付けると共に、袋体と圧力調整器の間に設けた空間により、圧力調整器が外気と接触しないようにして調整器のダイヤフラムの作動中に温度差の大きい外気を直接吸い込まないようにして、ガス圧力調整器の結露を防止するカバーの構成であり、請求項２に記載した考案は、前記請求項１に記載した考案を実施するための具体的手段であって、通気性の低いシートを用いて形成した袋体に、圧力調整器のダイヤフラム調整部を潜らせる開口部と複数対のファスナーを設け、調整器の底面部を包んで前記ファスナーにて圧力調整器本体の周りを空間を設けて囲繞することを特徴とするものである。【０００８】  請求項３に記載した考案は、通気性の低いシートカバーは断熱性材料であることを特徴とするものであり、請求項４に記載した考案は、通気性の低いシートカバーは合成樹脂製材料で構成されることを特徴としている。また、請求項５に記載した考案は通気性の低い２枚のシートの縁を全周に亘って互いに接着した袋体の一方側のシートに、圧力調整器のダイヤフラム調整部を潜らせる開口部を設けたもので、請求項６に記載した考案は、この結露防止カバーに使用するファスナーは、タッチクローズ式のファスナーであることを特徴とするものである。【０００９】  なお、この結露防止カバーに使用されるシートの材料は、通常断熱性に優れたビニール等の合成樹脂が使用されるが、圧力をかけなければ空気が通過しないような通気性の低い材料で作られたシートであれば他の材料でも良い。そして、前記通気性の低いシートが断熱性材料であれば更に良好な効果が期待できる。
ダイヤフラム調整部を潜らせる開口部に設けるファスナーとしては、マジックテープ（登録商標）等で知られるタッチクローズ式のファスナーが好ましいが、ファスナー機能を有するものであれば、フック式のボタンでも押し込み式のスナップボタン（ホック）でもよい。場合によってはバックルや紐を設けても良い。
【考案の効果】
【００１０】  この考案は、簡単な袋状のもので調整器を覆うだけで、外気と調整器本体部分が直接触れないようにしたため、調整器自体の温度が低下すると袋の内側の空気の温度も調整器の温度の影響で低下する。したがって、調整器と周りの空気の温度差が少なくなるため、調整器内でダイヤフラムが作動したとき、調整器内には袋体と調整器の間の空間に溜まっている温度の低下した空気が取り込まれることになるので、調整器が外気と直接接触しているときに比べ温度差が少なくなり、結露の発生も生じ難くなるのである。【００１１】  この考案によれば、単に袋状のもので調整器を覆うだけで、既存のバルク供給設備に対しても容易にこの結露防止手段を実施することができるので、調整器内に結露水が溜まって調整器が作動不良になる現象が頻繁に発生するような既成の設備に対しても簡単に改善を行うことができる。
【考案を実施するための最良の形態】
【００１２】  図１は、この考案の実施の形態を示したもので、ガス圧力調整器にこの発明の結露防止カバーを取付けた状態を示す説明図である。１はガス圧力調整器で、２は結露防止カバー、３はファスナーを示している。
【実施例】
【００１３】  以下、この考案の実施の形態を実施例に基づき説明する。なお、以下の説明においては、同一機能を有する部材や部位、構成部分については同一の符号、又は添字を付けて、説明を省略する場合がある。
図２はこの発明の結露防止カバーの平面図で、図３はこの発明の結露防止カバーの底面図である。
結露防止カバー２は表面側シート２１と裏面側シート２２の２枚の透明なビニールシートを重ね合わせ、その縁の全周を溶着し、袋状の袋体を形成したものである。２４はその溶着部を示している（図４参照）。そして、裏面側シート２２には開口部２３が設けられている。これは図１に示すように圧力調整器に取付けるとき、調整器のダイヤフラム調整部分を潜らせるための開口である。３は一対のマジックテープ（登録商標）型のタッチクローズ式ファスナーで、それぞれフック側３１とループ側３２から構成されており、それぞれカバー２のビニールシート表面に溶着されている。【００１４】  図４は、図３に示す結露防止カバーのＡ−Ａ断面説明図で、理解を容易にするため形状構成を誇張して表してある。
図５はこの考案の結露防止カバーの他の実施例の裏面図である。図１に示した開口部２３は、中央の幅が広い十字型の開口をしているが、この実施例では単なる長方形の開口が示されている。また、ファスナーについてもスナップ型のファスナーが使用されている。このように、この考案の結露防止カバーの開口部の形状、大きさ及びファスナーの種類、形状、大きさ、数量又は取付け位置などは、適用するガス圧力調整器の大きさ形状に適宜合わせて製作することができる。【００１５】  また、シートやファスナーの接着も、使用するシートの材料に応じて適当な周知の接着手段を選択することが好ましい。これらの実施例については、結露防止カバーは透明なものを開示したが、必ずしも透明なものとは限らない。カラーや半透明なものも、使用する場所と雰囲気によっては却って好ましい場合もある。
【図面の簡単な説明】
【００１６】
【図１】この考案の実施の形態を示した説明図である。
【図２】この考案の結露防止カバーの平面図である。
【図３】この考案の結露防止カバーの底面図である。
【図４】図３のＡ−Ａ断面説明図である。
【図５】結露防止カバーの他の実施例の裏面図である。
【図６】２段減圧式圧力調整器の配置説明図である。
【図７】ガス圧力調整器の説明用断面図である。
【符号の説明】
【００１７】１・・・ガス圧力調整器
２・・・結露防止カバー
３・・・ファスナー
２１、２２・・・シート
２３・・・開口部
【図１】
0003144857.tif 000003
【図２】
0003144857.tif 000004
【図３】
0003144857.tif 000005
【図４】
0003144857.tif 000006
【図５】
0003144857.tif 000007
【図６】
0003144857.tif 000008
【図７】
0003144857.tif 000009